(57)【要約】【課題】ユーザに対応して設定を変更する。【解決手段】デジタルカメラ１は、付属部品２のＩＤをＲＦＩＤ読取部２２で読み取り、デジタルカメラ１の設定情報と対応付ける。デジタルカメラ１は、ある付属部品２が装着されると、この付属部品２のＩＤをＲＦＩＤ読取部で読み取り、このＩＤに対応する設定情報を読み出す。また、デジタルカメラ１は、電源の遮断時に付属部品２のＩＤをＲＦＩＤ読取部２２で読み取り、既に登録された設定情報を電源遮断前の設定情報で更新する。【選択図】図４
2006019958.tif 000002
【特許請求の範囲】
【請求項１】
設定情報を変更することができる電子機器であって、
識別情報を保持する識別情報保持手段を備える付属部品と、
上記識別情報保持手段に保持された識別情報を読み取る読取手段と、
上記読取手段が読み取った上記付属部品の識別情報と当該電子機器の設定情報とを対応付けて記録する設定情報記録手段と、
上記読取手段が読み取った識別情報に対応する設定情報を上記設定情報記録手段から読み出し、該設定情報に基づいて処理を行う設定変更手段と
を備えることを特徴とする電子機器。
【請求項２】
上記設定情報記録手段は、規定の設定情報を記録しており、
上記設定変更手段は、上記読取手段が識別情報を読み取らなかった場合、上記規定の設定情報に基づいて処理を行うこと
を特徴とする請求項１記載の電子機器。
【請求項３】
上記識別情報保持手段は、ＲＦＩＤタグであることを特徴とする請求項１記載の電子機器。
【請求項４】
上記ＲＦＩＤタグは、上記付属部品の表面付近に埋め込まれていることを特徴とする請求項３記載の電子機器。
【請求項５】
設定情報を変更することができるデジタルカメラであって、
ＲＦＩＤタグを備える付属部品と、
上記ＲＦＩＤタグに保持された識別情報を読み取る読取手段と、
画像を撮影する撮影手段と、
上記ＲＦＩＤタグに保持された識別情報と当該デジタルカメラの設定情報とを対応付けて記録する設定情報記録手段と、
上記読取手段が読み取った識別情報に対応する設定情報を上記設定情報記録手段から読み出し、該設定情報に基づいて処理を行う設定変更手段と
を備えることを特徴とするデジタルカメラ。
【請求項６】
記録媒体に対する読み書きを行う記録媒体制御手段と、
上記記録媒体制御手段を制御して上記読取手段が読み取った上記付属部品の識別情報に対応するフォルダを上記記録媒体上に生成する記録領域生成手段を備え、
上記設定情報記録手段は、上記付属部品の識別情報と上記フォルダとを対応付けて記録すること
を特徴とする請求項５記載のデジタルカメラ。
【請求項７】
上記ＲＦＩＤタグの識別情報に対応するフォルダを上記設定情報記録手段から読み出し、上記撮影手段が撮影した画像を該フォルダに記録させることを特徴とする請求項６記載のデジタルカメラ。
【請求項８】
上記ＲＦＩＤタグの識別情報に対応するフォルダを上記設定情報記録手段から読み出し、該記録領域に格納された画像を再生する再生制御手段を備えることを特徴とする請求項６記載のデジタルカメラ。
【請求項９】
上記付属部品は、当該デジタルカメラに取り付けられるストラップ、当該デジタルカメラの電源となる着脱自在のバッテリ、当該デジタルカメラに装着される半導体メモリのうちの少なくとも１つであることを特徴とする請求項５記載のデジタルカメラ。
【発明の詳細な説明】
【技術分野】
【０００１】
本発明は、設定を変更することが電子機器及びデジタルカメラに関する。
【背景技術】
【０００２】
従来の電子機器には、様々な設定ができるようになっている。例えば、携帯電話であれば、基準となる時刻、着信音量、着信音の種類、ディスプレイの明るさ、表示文字の大きさなどが設定できる。また、デジタルカメラでは、撮影モード、撮影画像サイズ、記録ファイル形式などを設定することができる。
【０００３】
近年の電子機器では、設定できる条件が非常に多く、ユーザが全ての条件を把握して設定するのは非常に煩雑である。また、携帯電話のように使用する個人が特定されている場合には、一度設定したものをそのまま継続しておいても問題はないが、デジタルカメラ、音響機器などは、複数のユーザによって使用される可能性が高いので、ユーザごとに適した設定にした方がよいが、ユーザが変わるたびに手動で設定を変更するのは非常に煩雑である。
【０００４】
従来、ユーザの網膜パターン、虹彩パターンなどの眼球情報を記録し、眼球情報でユーザを特定する。そして、眼球情報がマッチングしたユーザの設定情報を読み出し、読み出した設定に基づいて処理動作を行、ユーザによる設定変更の煩わしさをなくすデジタルカメラが存在した（例えば、特許文献１参照）。
【０００５】
特許文献１記載の発明では、ユーザのファインダーを覘いているユーザの眼球をデジタルカメラに登録している。近年の電子機器は、小型化が重要な課題となっており、ユーザを識別するために撮像部を設けるのは電子機器の小型化を妨げてしまう。また、デジタルカメラのように元々撮像部を備えた電子機器であっても、ファインダーから覘いた眼球を撮像する構成を追加すると、構造が複雑になったり、追加した構成の分だけサイズを大きくしなくてはならない可能性がある。
【０００６】
【特許文献１】特開２００３−８７６２７号公報
【発明の開示】
【発明が解決しようとする課題】
【０００７】
本発明は、上述した課題に鑑みてなされたものであって、ユーザに対応して設定を変更する電子機器及びデジタルカメラを提供することを目的とする。
【課題を解決するための手段】
【０００８】
本発明にかかる電子機器は、設定情報を変更することができる電子機器であって、識別情報を保持する識別情報保持手段を備える付属部品と、識別情報保持手段に保持された識別情報を読み取る読取手段と、読取手段が読み取った付属部品の識別情報と電子機器の設定情報とを対応付けて記録する設定情報記録手段と、読取手段が読み取った識別情報に対応する設定情報を設定情報記録手段から読み出し、設定情報に基づいて処理を行う設定変更手段とを備える。
【０００９】
また、本発明にかかるデジタルカメラは、設定情報を変更することができるデジタルカメラであって、ＲＦＩＤタグを備える付属部品と、ＲＦＩＤタグに保持された識別情報を読み取る読取手段と、画像を撮影する撮影手段と、ＲＦＩＤタグに保持された識別情報と当該デジタルカメラの設定情報とを対応付けて記録する設定情報記録手段と、読取手段が読み取った識別情報に対応する設定情報を設定情報記録手段から読み出し、設定情報に基づいて処理を行う。
【発明の効果】
【００１０】
本発明を適用した電子機器は、付属部品の識別情報と設定情報とを対応づけて記録し、現在装着している付属部品に対応する設定情報に基づいて処理を行う。そのため、付属部品を取り替えるだけで設定を手動で変更しなくとも、簡単に設定情報の変更を行うことができる。
【００１１】
また、本発明を適用したデジタルカメラは、付属部品の識別情報に対応する記録領域を作成するため、ユーザが記録領域を自身が作成する手間や撮影した画像の記録場所を分類する手間を省略することができる。さらに、付属部品の識別情報に対応する記録領域に格納された画像のみを表示させるため、複数のユーザが１つのデジタルカメラを使用していたとしても付属部品を所有していない他のユーザが記録媒体に格納された自身の画像を閲覧することができない。
【発明を実施するための最良の形態】
【００１２】
本発明は、着脱可能な付属部品を備えた電子機器に適用される。本発明では、付属部品にＲＦＩＤタグを設け、ＲＦＩＤタグに付属部品のＩＤを記録する。電子機器は、ＩＤに対応する設定情報が格納されている。電子機器は、装着された付属部品のＩＤに対応する設定で動作する。
【００１３】
以下、図面を参照して本発明を適用したデジタルカメラ１について説明する。デジタルカメラ１は、図１に示すように、着脱可能の付属部品２を備える。図中では、符号２ａをデジタルカメラに取り付けられるストラップ、符号２ｂをデジタルカメラに装着されるバッテリ、符号２ｃをデジタルカメラに挿入されるカード型の半導体メモリ２ｃ、符号２ｄを光ディスクや磁気ディスクのようなディスク状記録媒体２ｄで示す。本発明を適用したストラップ２ａ、バッテリ２ｂ、半導体メモリ２ｃ、ディスク状記録媒体２ｄは、それぞれのＩＤを記録したＲＦＩＤタグ３ａ，３ｂ，３ｃ，３ｄが設けられている。
【００１４】
ＲＦＩＤタグ３は、付属部品２の表面付近に埋め込むとよい。付属部品２の表面付近に埋め込むと、付属部品２の深い位置に取り付けるよりもＲＦＩＤタグ３の受信機との距離が近くなり受信機の認識精度が高くなる。また、付属部品２に埋め込むとＲＦＩＤタグ３が外れる、若しくは、外されるおそれがなくなる。
【００１５】
ストラップ２ａなどのアクセサリにＲＦＩＤタグ３を取り付ける場合は、できるだけＲＦＩＤタグが埋め込みやすい位置（例えば、ストラップの根元）に取り付ける。なお、ストラップ２ａにＲＦＩＤタグ３を着けた場合、ＲＦＩＤタグ３を認識させるためにユーザがストラップ２ａをデジタルカメラ１に近づけなければならない。
【００１６】
また、半導体メモリ２ｃのような記録媒体にＲＦＩＤタグ３を取り付ける場合、図２（ａ）に示すように、記録媒体の外装部分の決められた位置に製造段階で埋め込む。そして、図２（ｂ）に示すようにデジタルカメラ１側にもＲＦＩＤタグ３の読取部４を設ける。図２（ｃ）に示すように半導体メモリ２ｃをデジタルカメラ１に装着したとき、ＲＦＩＤタグ３と読取部４とが接触する位置に設けると、ＲＦＩＤタグ３と読取部４確実に近づけることができる。
【００１７】
さらに、ＲＦＩＤタグ３は、読取部から離れてしまうと認識できないのを利用して、スライドスイッチを使ってＲＦＩＤタグ３を使用するか使用しないかユーザが選択することも可能である。この半導体メモリ２ｃは、図３（ａ）に示すようにスライドスイッチ５が設けられている。スライドスイッチ５の表面にはＲＦＩＤタグ３が設けられている。ＲＦＩＤタグ３は、スライドスイッチの内部に埋め込まれていてもよい。そして、スライドスイッチ５を一方向、図３（ｂ）では左側にスライドさせると、ＲＦＩＤタグ３がＲＦＩＤタグ３の読取部４に接触する位置に移動する。一方、スライドスイッチ５を他方向、図３（ｃ）では右側にスライドさせると、ＲＦＩＤタグ３がＲＦＩＤタグ３の受信部４から離れる位置に移動する。これにより、ＲＦＩＤタグ３を使用できない状態にすることができる。
【００１８】
次いで、図４を参照してデジタルカメラの構成を説明する。被写体からの光は、レンズ１０ブロックを通ってＣＣＤ（Charge Coupled Device）１１に結像する。ＣＣＤ１１は、光を電気信号に変換して、ＣＡＭ（Content Addressable Memory）１２に出力される。ＣＡＭ１２に蓄えられた生画像は、ＳＤＲＡＭ（Synchronous DRAM）インターフェースモジュールを経由してＳＤＲＡＭ１３に出力される。ＳＤＲＡＭ１３には、キャプチャ領域１３ａ、記録画像用領域１３ｂ、表示画像用領域１３ｃに区分されている。ＣＣＤ１１から出力された生画像は、キャプチャ領域１３ａに格納される。キャプチャ領域１３ａは、生画像の一時記憶領域である。
【００１９】
キャプチャ領域１３ａに格納された画像は、サイズ変換部１４に出力される。サイズ変換部１４は、入力した生画像を指定画像サイズに変更する。サイズ変換部１４は、記録画像用領域１３ｂと表示画像用領域１３ｃとに出力する。表示画像用領域１３ｃに出力された画像は、ビデオ復号化部１５によってＲＧＢ信号に変換され、表示部１６に出力される。一方、記録画像用領域１３ｂに出力された画像は、ＪＰＥＧ（Joint Photographic Experts Group）符号化部１７によりＪＰＥＧ圧縮がかけられる。ＪＰＥＧ圧縮がかけられた画像は、マイクロコントローラ１８に出力される。
【００２０】
マイクロコントローラ１８は、ＣＰＵ２０の一機能として実現される。マイクロコントローラ１８は、補助記録装置１９を制御し、補助記録装置１９へのデータの読み書きを行う。補助記録装置１９としては、半導体メモリ、小型のＨＤＤ（Hard Disk Drive）、光ディスクなどがある。
【００２１】
ＲＦＩＤ読取部２２は、図５に示すように、入力用アンテナ３０、出力用アンテナ３１、変調部３２、復調部３３、コントローラ３４を備える。変調部３２は、コントローラ３４からの制御情報を受けて特定周波数の電磁波を出力用アンテナ３１から出力する。ＲＦＩＤタグ３は、電磁波を起電力として記録している付属部品２のＩＤを送信する。復調部３３は、入力用アンテナ３０が受信した電波を復調してコントローラ３４に出力する。コントローラ３４は、インターフェース３５を介して付属部品２のＩＤをＣＰＵ２０に出力する。
【００２２】
デジタルカメラ１は、画質、画面サイズ、被写体まで距離などを設定することができる。ＥＥＰＲＯＭ２１には、デフォルトの設定情報ＳＥＴ０と、デジタルカメラ１のユーザの設定情報ＳＥＴ１〜ＳＥＴｎ（ｎは、登録ＩＤの個数）を格納している。設定情報ＳＥＴ１〜ＳＥＴｎは、付属部品２のＩＤと対応している。ＣＰＵ２０は、付属部品２のＩＤに対応する設定情報の取得と、ＩＤに対応する設定情報の登録とを行う。
【００２３】
図６を参照して設定情報の取得処理を説明する。ＣＰＵ２０は、デジタルカメラ１の電源投入を検出すると（ステップＳ１１）、ＲＦＩＤ読取部２２を起動する。ＲＦＩＤ読取部２２は、ＲＦＩＤタグ３の読み取りを開始する（ステップＳ１２）。デジタルカメラ１に付属部品２が装着されているとき、付属部品２のＲＦＩＤタグ３は、特定周波数の電磁波を起電力として付属部品２のＩＤを出力する。デジタルカメラ１に付属部品２が装着されていないとき、ＣＰＵ２０は付属部品２のＩＤを取得することができない（ステップＳ１３；ＮＯ）。このとき、ＣＰＵ２０は、ＥＥＰＲＯＭ２１からデフォルトの設定情報ＳＥＴ０を読み出し（ステップＳ１４）、設定情報ＳＥＴ０をデジタルカメラの動作に反映させる（ステップ１５）。
【００２４】
一方、デジタルカメラ１に付属部品２が装着されているとき、ＣＰＵ２０は、ＲＦＩＤ読取部２２から付属部品２のＩＤを取得する（ステップＳ１３；ＹＥＳ）。ＣＰＵ２０は、ＲＦＩＤ読取部２２から付属部品２のＩＤを取得すると、このＩＤに対応する設定情報を検索する。そして、ＩＤに対応する設定情報が存在しないときには（ステップＳ１６；ＮＯ）、ＥＥＰＲＯＭ２１からデフォルトの設定情報ＳＥＴ０を読み出し（ステップＳ１７）、設定情報ＳＥＴ０をデジタルカメラ１の動作に反映させる（ステップＳ１５）。
【００２５】
一方、付属部品２のＩＤに対応する設定情報が存在するときには（ステップＳ１６；ＹＥＳ）、ＩＤに対応する設定情報ＳＥＴｉ（但し、１≦ｉ≦ｎ）をＥＥＰＲＯＭ２１から読み出し（ステップＳ１８）、ＳＥＴｉをデジタルカメラ１の動作に反映させる（ステップＳ１５）。
【００２６】
次いで、図７を参照して設定情報の登録処理を説明する。ＣＰＵ２０は、デジタルカメラ１の電源オフが指示されると（ステップＳ２１）、ＲＦＩＤ読取部２２にＲＦＩＤタグ３の読取開始を指示する（ステップＳ２２）。ＲＦＩＤ読取部２２は、特定周波数の電磁波を出力し、ＲＦＩＤタグ３からの応答を待機する。デジタルカメラ１に付属部品２が装着されていないとき、ＣＰＵ２０は、付属部品２のＩＤを取得することができない（ステップＳ２３；ＮＯ）。このとき、ＣＰＵ２０は、ＥＥＰＲＯＭ２１に設定を保存することなく（ステップＳ２４）、デジタルカメラ１の動作を終了して電源を遮断する（ステップＳ２５）。
【００２７】
一方、ＣＰＵ２０は、ＲＦＩＤ読取部２２から付属部品２のＩＤを取得すると（ステップＳ２３；ＹＥＳ）、このＩＤに対応する設定情報を検索する。そして、ＩＤに対応する設定情報が存在しないときには（ステップＳ２６；ＮＯ）、ＣＰＵ２０は、ステップＳ２６で取得したＩＤと現在の設定情報と対応付けてＥＥＰＲＯＭ２１に保存する（ステップＳ２７）。次いで、ＣＰＵ２０は、デジタルカメラ１の動作を終了して電源を遮断する（ステップＳ２５）。
【００２８】
一方、ＩＤに対応する設定情報が存在したときには（ステップＳ２６；ＹＥＳ）、ＣＰＵ２０は、ＩＤに対応する設定情報を現在の設定情報に変更する（ステップＳ２８）。次いで、ＣＰＵ２０は、デジタルカメラ１の動作を終了して電源を遮断する（ステップＳ２５）。
【００２９】
このように、本発明を適用したデジタルカメラ１では、付属部品２のＩＤとデジタルカメラ１の設定情報とを対応付けて記録し、付属部品２のＩＤに対応する設定情報を使用するため、付属部品２を取り変えるだけで、デジタルカメラ１の設定情報を変更することができる。また、本発明を適用したデジタルカメラ１では、電源の遮断時に設定情報を自動的に更新するため、ユーザが設定を手動で登録する必要がない。
【００３０】
次いで、デジタルカメラ１におけるＲＦＩＤタグ３の使用例を説明する。この例におけるデジタルカメラ１は、ファイルの論理的な入れ場所であるフォルダを半導体メモリに自動的に作成し、このフォルダと付属部品２のＩＤとを対応付ける。静止画の再生時には、デジタルカメラ１に装着された付属部品２のＩＤに対応するフォルダを読み出す。これにより、付属部品２を所有するユーザにフォルダの閲覧権を与える。
【００３１】
図８を参照してフォルダを作成する手順を説明する。ＣＰＵ２０は、電源の投入を検出すると（ステップＳ３１）、ＲＦＩＤ読取部２２を起動する。ＲＦＩＤ読取部２２は、ＲＦＩＤタグ３の読み取りを開始する（ステップＳ３２）。デジタルカメラ１に付属部品が装着されているとき、付属部品２のＲＦＩＤタグ３は、特定周波数の電磁波を起電力として付属部品２のＩＤを出力する。デジタルカメラ１に付属部品２が装着されていないとき、ＣＰＵ２０は付属部品２のＩＤを取得することができない（ステップＳ３３；ＮＯ）。ＣＰＵ２０は、付属部品２のＩＤが取得できないときフォルダの作成処理を終了する。
【００３２】
一方、ＣＰＵ２０は、付属部品２のＩＤを取得したとき（ステップＳ３３；ＹＥＳ）、このＩＤがフォルダ名記録テーブル６に存在するか検索する。フォルダ名記録テーブル６とは、図９に示すような付属部品２のＩＤとフォルダのパスとを関連付けるテーブルである。ＣＰＵ２０は、ステップＳ３３で取得した付属部品２のＩＤがフォルダ名記録テーブル６に存在すると（ステップＳ３４；ＹＥＳ）、フォルダの作成処理を終了する。
【００３３】
ＣＰＵ２０は、ステップＳ３３で取得した付属部品２のＩＤがフォルダ名記録テーブル６に存在しないとき（ステップＳ３４；ＮＯ）、新規フォルダを作成するか否かをユーザに問い合わせる画面を表示させる（ステップＳ３５）。ＣＰＵ２０は、ユーザが新規フォルダの作成を拒否すると（ステップＳ３６；ＮＯ）フォルダの作成処理を終了する。一方、ユーザが新規フォルダの作成処理を指示すると（ステップＳ３６；ＹＥＳ）、フォルダ名及びフォルダの格納場所を決定し半導体メモリに新規フォルダを作成する（ステップＳ３７）。ＣＰＵ２０は、ステップＳ３３で取得した付属部品２のＩＤと新規フォルダのパスをと対応付けてフォルダ名記録テーブル６に記録し（ステップＳ３８）、フォルダの作成処理を終了する。なお、ステップＳ３７におけるフォルダの名前付けは、例えば、ＤＣＦ（Design Rule for Camera File System）に準拠する。ＤＣＦでは、フォルダの名前が８文字、最初の１〜３文字目が“１００”〜“９９９”の番号、残りの５文字は半角英数大文字のみを使用した文字列であり２バイトコードや特殊コードは使用しないという規則がある。
【００３４】
次いで、図１０を参照して撮影した静止画をフォルダに記録する手順を説明する。なお、ここでは、既に読み取られた付属部品２のＩＤがメモリに格納されているものとする。デジタルカメラ１は静止画を撮影すると（ステップＳ４１）、付属部品２のＩＤをメモリから読み出す（ステップＳ４２）。付属部品２のＩＤがメモリに存在しない場合（ステップＳ４３；ＮＯ）、ＩＤと対応付けられていないフリーなフォルダに静止画を格納する（ステップＳ４４）。
【００３５】
一方、付属部品２のＩＤがメモリに存在するとき（ステップＳ４３；ＹＥＳ）、フォルダ名記録テーブル６を読みだし、付属部品２のＩＤに対応するフォルダを検索する。付属部品２のＩＤに対応するフォルダが存在しない場合（ステップＳ４５；ＮＯ）、ＩＤと対応付けられていないフリーなフォルダに静止画を格納する（ステップＳ４６）。一方、付属部品２のＩＤに対応するフォルダが存在する場合（ステップＳ４５；ＹＥＳ）、ＩＤに対応するフォルダに静止画を格納する（ステップＳ４７）。
【００３６】
このように、デジタルカメラ１は、付属部品２のＩＤに対応したフォルダに静止画を記録するため、ユーザがフォルダを指定する操作をしなくても静止画を分類することができる。この機能はフォルダのアクセス制限に使用することができる。
【００３７】
次いで、図１１を参照してフォルダに格納された静止画を再生する手順について説明する。ここでも、既に読み取られた付属部品２のＩＤがメモリに格納されているものとする。半導体メモリに記録している静止画の再生が指示されると（ステップＳ５１）、ＣＰＵ２０は、付属部品２のＩＤをメモリから読み出す（ステップＳ５２）。付属部品２のＩＤがメモリに存在しない場合（ステップＳ５３；ＮＯ）、ＣＰＵ２０は、ＩＤと対応付けられていないフリーなフォルダに格納された静止画を再生する（ステップＳ５４）。
【００３８】
一方、付属部品２のＩＤがメモリに存在するときには（ステップＳ５３；ＹＥＳ）、フォルダ名記録テーブル６を読み出し、付属部品２のＩＤに対応するフォルダを検索する。付属部品２のＩＤに対応するフォルダが存在しない場合（ステップＳ５５；ＮＯ）、ＩＤと対応付けられていないフリーなフォルダに格納された静止画を再生する（ステップＳ５６）。一方、付属部品２のＩＤに対応するフォルダが存在する場合（ステップＳ５５；ＹＥＳ）、ＩＤに対応するフォルダに格納された静止画を再生する（ステップＳ５７）。
【００３９】
以上説明したように、デジタルカメラ１は、付属部品２のＩＤに対応付けたフォルダを作成し、付属部品２のＩＤに対応するフォルダに静止画を格納する。そして、静止画の再生が指示されたときには、再生が指示されたときに装着されている付属部品２のＩＤに対応するフォルダを読み出す。
【００４０】
現行のＤＣＦと呼ばれる規格では、フォルダ名の文字数や使用文字に制約があり、この制約の範囲内でフォルダ名を決定するのは機械操作に不慣れなユーザにとっては煩雑である。本発明を適用したデジタルカメラ１では、自動的にフォルダを作成するため規格の内容や機械の操作方法などを知らなくてもフォルダを作成することができる。
【００４１】
また、上述したＤＣＦの名前付け規則では文字数や使用文字に制約があるため、この制約に準拠して作成したフォルダ名はユーザが記憶しにくい文字列になる可能性がある。デジタルカメラ１は、ユーザが付属部品２を所有していれば、フォルダ名を記憶することなく自己のフォルダを特定することができる。
【００４２】
さらに、付属部品２のＩＤをフォルダにアクセスするための条件とすることで、自身が撮影した静止画を他のユーザに見られることはない。
【００４３】
なお、本発明は、上述した実施の形態に限定されるものではなく、電子機器の設定を付属部品にＩＤに対応させるという本発明の要旨を含む変形、改良は、本発明に含まれるものとする。
【００４４】
例えば、実施の形態ではデジタルカメラを例として説明したが、他の電子機器も本発明に含む。また、フォルダ名記録テーブル６の構成も上述したものに限定されず、アクセス制限の有無を記録するフィールドを設けて、アクセス制限の有無をユーザが決定できるようにしてもよい。
【００４５】
さらに、複数の付属部品が装着されたときには、一定時間だけ付属部品のＲＦＩＤタグを読み出すスイッチを設け、このスイッチを押下したときに、ユーザが特定の付属部品をＲＦＩＤ読取部に近づけるという処理をしてもよい。これにより、ユーザがＲＦＩＤ読取部に近づけた特定の付属部品のＩＤが採用される。
【００４６】
また、ＩＤの設定をリセットするリセットボタンを設けてもよい、リセットボタンには、それぞれのＩＤに対応する設定を消去するリセットボタン、全てのＩＤに対応する設定を消去するリセットボタンなどがある。
【図面の簡単な説明】
【００４７】
【図１】デジタルカメラの外観を示す図である。
【図２】ＲＦＩＤタグの取り付け位置を示す図である。
【図３】スライドスイッチにＲＦＩＤタグを取り付けたときの動作を示す図である。
【図４】デジタルカメラの構成を示すブロック図である。
【図５】ＲＦＩＤタグの構成を示すブロック図である。
【図６】設定情報の取得処理を説明するフローチャートである。
【図７】設定情報の登録処理を説明するフローチャートである。
【図８】フォルダの作成処理を説明するフローチャートである。
【図９】フォルダ名記録テーブルの構造を示す図である。
【図１０】静止画をフォルダに格納する手順を説明するフローチャートである。
【図１１】静止画をフォルダから読み出す手順を説明するフローチャートである。
【符号の説明】
【００４８】
１  デジタルカメラ、２  付属部品、３  ＲＦＩＤタグ、６  フォルダ名記録テーブル、１８  マイクロコントローラ、１９  補助記録装置、２０  ＣＰＵ、２１  ＥＥＰＲＯＭ、２２  ＲＦＩＤ読取部
【図１】
2006019958.tif 000003
【図２】
2006019958.tif 000004
【図３】
2006019958.tif 000005
【図４】
2006019958.tif 000006
【図５】
2006019958.tif 000007
【図６】
2006019958.tif 000008
【図７】
2006019958.tif 000009
【図８】
2006019958.tif 000010
【図９】
2006019958.tif 000011
【図１０】
2006019958.tif 000012
【図１１】
2006019958.tif 000013